(57)【特許請求の範囲】
【請求項１】
被給油タンクへの給油を指示する給油操作スイッチ釦と、
前記給油操作スイッチ釦の押圧操作中は給油を行ない、当該給油操作スイッチ釦の押圧操作が解除された場合、または、当該給油操作スイッチ釦の押圧操作中に前記被給油タンクへの給油量が予め設定された設定量に達した場合に給油を停止するプリセット給油手段と、
前記プリセット給油手段による前記被給油タンクへの給油を強制的に停止して終了させる強制終了スイッチ釦と、
該プリセット給油手段が前記被給油タンクへの給油量が予め設定された設定量に達したことに基づき給油を停止させた場合に給油終了信号を出力し、また、前記被給油タンクへの給油量が予め設定された設定量に達していない状態で前記強制終了スイッチ釦が操作された場合に、前記被給油タンクへの給油を停止するとともに給油終了信号を出力する制御手段と、
を備えたことを特徴とする給油装置。
【発明の詳細な説明】
【０００１】
【発明の属する技術分野】
本発明は給油装置に係り、特にセルフサービス給油の操作が行なわれている間のみ給油できるよう構成された給油装置に関する。
【０００２】
【従来の技術】
給油所では、ガソリンや軽油以外の油種として灯油の販売も行っている。
通常、ガソリンや軽油の給油を行う計量機とは別に灯油専用の計量機が設けられており、自動車の燃料タンクにガソリンを給油するついでに顧客が空のポリ容器を持参すると、給油所の作業員が計量機の給油ノズルをポリ容器の給油口に差し込んで給油を行う。
【０００３】
従来、灯油専用の計量機は、地上固定式の計量機よりなり、ガソリンや軽油等の計量機と同様に、計量機から導出される可撓性を有する給油ホースと、その給油ホース先端に設けられてポリ容器の給油口に挿入される給油ノズルとを有している。
このような計量機を用いて灯油を給油する場合、空のポリ容器を地面に置いた状態で作業員が計量機に接続された給油ホースを延ばして給油ノズルの吐出パイプをポリ容器の給油口に挿入した後、給油ノズルのノズルレバーを開弁方向に操作して給油を開始する。尚、ポリ容器には、容量の異なる複数の種類があるため、作業員はその都度顧客に給油量を確認してから給油を開始している。
【０００４】
そして、ポリ容器内の液面が上昇して給油ノズルの吐出パイプに達すると自動閉弁機構が作動して給油ノズルの主弁が閉弁する。このとき、目標とする２０リットルあるいは１８リットルに達していないので、作業員は給油ノズルのノズルレバーを半開に操作して少流量で給油を行う。そして、計量機の表示器に２０リットルあるいは１８リットルが表示されるまで、追加給油を行う。
【０００５】
ところが、従来の給油装置では、ポリ容器を地面に置いた状態で給油するため、作業員が腰を曲げて給油ノズルを操作しなければならず、給油操作がやりづらかった。
さらに、作業員は給油終了まで給油ノズルのグリップを把持していないと給油ノズルがポリ容器の給油口から外れてしまうので、腰を曲げた姿勢のまま給油ノズルを支えなければならない。そのため、１個のポリ容器に灯油を給油するのに多くの労力を要していた。
【０００６】
このような不都合を解消するため、給油ノズルを昇降可能に支持して給油する方法、あるいは計量機の側面から下方に延在された給油管をポリ容器の給油口に挿入して給油する方法が開発されている。
さらに、予めプリペイドカードのカードデータがカードリーダによって読み込まれると、給油量がプリセットされ、給油操作釦が押圧操作されている間のみ給油されるセルフサービス給油機能を有する給油装置が開発されている。この給油装置では、給油操作釦が押圧操作されると電磁弁が開弁（あるいはポンプ起動）されて給油が開始され、給油操作釦の押圧操作が解除されると電磁弁が閉弁（あるいはポンプ停止）されて給油が停止する。そして、給油停止後、給油量等が記載された伝票が発行される。
【０００７】
【発明が解決しようとする課題】
しかしながら、上記のようなセルフサービス給油を行なう給油装置では、予めプリセットされた給油量が給油される前に給油操作釦の押圧操作が解除されると、給油が中断されると共にそれまで給油された給油量等が記載された伝票が発行されることになる。そして、再度、給油操作釦の押圧操作を行なっても給油が行なえず再度カードを入れ直して給油操作を行なわないといけなかった。
【０００８】
そして、給油が停止されると共に追加給油された給油量等が記載された伝票が再度発行されることになる。また、他に終了ボタンを設け、必ず終了操作を行い、終了させる装置では、終了ボタンを押し忘れて帰ってしまい、次の操作が行なえない等の不都合があった。
このように、従来は、給油操作釦の押圧操作が解除された場合、プリセット給油が終了したのか、あるいはプリセット給油を中断して追加給油を行なうのかを計量機側で判断することが難しく、給油操作釦の押圧操作が解除される度に伝票が発行されてしまうといった問題がある。
【０００９】
そこで、本発明は上記課題を解決した給油装置を提供することを目的とする。
【００１０】
【課題を解決するための手段】
本発明は上記課題を解決するため、以下のような特徴を有する。
本発明は、被給油タンクへの給油を指示する給油操作スイッチ釦と、前記給油操作スイッチ釦の押圧操作中は給油を行ない、当該給油操作スイッチ釦の押圧操作が解除された場合、または、当該給油操作スイッチ釦の押圧操作中に前記被給油タンクへの給油量が予め設定された設定量に達した場合に給油を停止するプリセット給油手段と、前記プリセット給油手段による前記被給油タンクへの給油を強制的に停止して終了させる強制終了スイッチ釦と、該プリセット給油手段が前記被給油タンクへの給油量が予め設定された設定量に達したことに基づき給油を停止させた場合に給油終了信号を出力し、また、前記被給油タンクへの給油量が予め設定された設定量に達していない状態で前記強制終了スイッチ釦が操作された場合に、前記被給油タンクへの給油を停止するとともに給油終了信号を出力する制御手段と、を備えたことを特徴とするものである。
【００１１】
従って、本発明によれば、プリセット給油手段が被給油タンクへの給油量が予め設定された設定量になったことに基づき給油を停止させた場合に給油終了信号を出力し、また、被給油タンクへの給油量が予め設定された設定量に達していない状態で強制終了スイッチ釦が操作された場合に、被給油タンクへの給油を停止するとともに給油終了信号を出力する。このため、プリセット給油が終了した場合、及び、強制終了スイッチ釦が操作された場合に自動的に給油終了信号が出力されるので、給油が終了したことを確認できる。
【００１２】
【発明の実施の形態】
以下、図面と共に本発明の実施の形態について説明する。
図１は本発明になる給油装置の一実施例を示す構成図である。
図１に示されるように、給油装置１１は、灯油のセルフサービス給油を行う給油システムであり、大略、給油エリアに設置された計量機１２と、計量機１２の近傍に設置されたカードリーダボックス１４と、受付１６に設置されたオートレジスタ１８と、プリペイドカード（図示せず）を発券する券売機２０とから構成されている。券売機２０は、顧客が給油量に応じた金額のプリペイドカードを発券するように構成されており、前面に例えば１８リットル１回給油券、１８リットル２回給油券、２０リットル１回給油券、２０リットル２回給油券を選択的に指定する給油量選択釦２０ａ〜２０ｄと、料金表示器２０ｅと、料金支払い部２０ｆと、おつり返却口２０ｇが設けられている。
【００１３】
オートレジスタ１８は、管理キースイッチ１８ａと、カードリーダ１８ｂと、各種操作スイッチ釦１８ｃと、各種メーセージを表示する表示器１８ｄとが配設されている。また、オートレジスタ１８は、シリアル回線からなるＳＳ−ＬＡＮ２２を介して計量機１２及びカードリーダボックス１４と通信可能に接続されており、カードリーダボックス１４にプリペイドカードが挿入されると、計量機１２に対し給油許可信号を出力すると共に、プリペイドカードに記憶された給油データに基づいて給油すべき給油量をプリセットする。さらに、オートレジスタ１８は、使用済みのプリペイドカードを再生するためのカード再生機能も有している。
【００１４】
また、カードリーダボックス１４には、券売機２０で購入されたプリペイドカードが挿入されるカードリーダ部１４ａと、事務所と通話するためのインタホーン１４ｂと、カードリーダ部１４ａで読み込まれたカードデータが正しいか否かを表示する状態表示パネル１４ｃとを有する。
尚、カードリーダ部１４ａは、プリペイドカードが挿入されると、プリペイドカードの磁気記憶部に記憶された給油データ（１８リットル又は２０リットル及び給油回数等）を読み込む。そして、プリペイドカードに未給油のデータが残っていないときは、挿入されたプリペイドカードを返却せずに回収するよう構成されている。
【００１５】
計量機１２は、左右側面にセルフサービス給油を行なう給油系統２４，２６が設けられている。そして、右側に設けられた給油系統２６は、給油ノズルの代わりに昇降可能な給油パイプ機構２８を用いてタンク載置台３０に載置されたポリ容器３２に給油を行なう構成となっている。
図２は計量機１２の正面図である。また、図３は計量機１２の右側面図である。
【００１６】
図２及び図３に示されるように、計量機１２は、右側面から右方向に延在する一対の注油管路３３が配設されている。この注油管路３３は、灯油をポリ容器３２に吐出するための管路であり、先端部分が下方に向かって延在するように形成されている。
また、注油管路３３は、基端部が電磁弁（後述する）に接続され、先端部が垂下方向に延在されている。注油管路３３の下方には、給油パイプ機構２８が連通されている。この給油パイプ機構２８は、径の異なる２本のパイプ２８ａ，２８ｂが上下方向（Ｙ方向）に摺動可能に嵌合された構成とされている。すなわち、給油する前は２本のパイプが重なり合うように短くされ、ポリ容器３２に給油する際は把手２９を引き下ろすことにより外側のパイプ２８ａが下方に摺動されてポリ容器３２の給油口３２ａに挿入される。
【００１７】
尚、パイプ２８ａの下端開口部に泡が達したとき泡チューブ３１を介して圧力変化を検出する泡センサ２７が取り付けられている。また、泡チューブ３１の下端部３１ａは、パイプ２８ａの先端部近傍に接続されており、給油口３２ａの泡により閉塞されると泡チューブ３１への空気供給が停止する。また、泡チューブ３１の上端部３１ｂは、注油管路３３の先端部近傍に接続されており、負圧発生部として機能する。
【００１８】
そして、泡センサ２７は、上端部３１ｂで発生した負圧により下端部３１ａからの空気が供給されているときは、内部のダイヤフラム（図示せず）が変位せず、下端部３１ａが泡により閉塞されると下端部３１ａからの空気供給が遮断されて内部のダイヤフラムが変位する。このダイヤフラムの変位は、フォトインタラプタ等の光センサを用いて検出しており、光センサからの検出信号が泡検出信号として制御回路６０に出力される。
【００１９】
また、ポリ容器３２は、給油口３２ａが給油しやすい高さ位置となるように容器載置台３０に載置される。
計量機１２の正面の上部には、給油量を表示する表示器３４が設けられている。また、計量機１２の左右側面には、給油操作スイッチ釦３６と、強制終了スイッチ釦（給油終了指示手段）３８とが配設されている。尚、給油操作スイッチ釦３６及び強制終了スイッチ釦３８は、押圧操作されているときオンとなり、押圧操作が解除されるとオフに復帰する押しボタンスイッチからなる。
【００２０】
給油操作スイッチ釦３６は、給油を行ないたい要求（給油許可要求信号）をオートレジスタ１８の表示・ブザーにより監視者に知らせ監視者が操作スイッチ釦１８ｃの許可ボタン操作により計量機１２が給油許可となる。給油許可後は、給油操作スイッチ釦３６の押圧操作中は給油が行なえる。そして、給油操作スイッチ釦３６の押圧操作が解除されると給油を停止させるようになっている。また、強制終了スイッチ釦３８は、プリセット給油の途中で給油を強制的に停止して終了させる場合に押圧操作されて給油終了を指示するためのスイッチ釦である。
【００２１】
図４は計量機１２の内部構成を示す縦断面図である。
図４に示されるように、計量機１２の筐体４０内部には、地下タンク（図示せず）に連通された給油管路４２が配設されている。この給油管路４２には、ベーンポンプ４４と、２段閉弁式の電磁弁４６と、４ピストン式の流量計４７とが配設されている。また、筐体４０の支柱４０ｂには、給油ポンプ４５を駆動するモータ４８と、流量計４７のロータ回転が伝達されて流量パルスを出力する流量パルス発振器５２とよりなる。そして、電磁弁４６の流出口には、前述した注油管路３３が接続されている。
【００２２】
ここで、上記のように構成されたセルフサービス給油システムの操作手順につて説明する。
▲１▼  先ず、灯油を購入する顧客は、受付１６で券売機２０で希望する給油量のプリペイドカードを購入する。
▲２▼  次に顧客は、給油エリアに移動してカードリーダボックス１４のカードリーダ部１４ａにプリペイドカードを挿入してカードデータ（給油データ）を読み取らせる。
【００２３】
オートレジスタ１８は、計量機１２から給油許可要求信号が出力されるのを待つ。
▲３▼  そして、顧客は、ポリ容器３２をタンク載置台３０に載置してポリ容器３２の給油口３２ａのキャップを外す。そして、給油パイプ機構２８の把手２９を把持し、パイプ２８ａを下方に摺動させて給油口３２ａに挿入させる。
▲４▼  続いて、顧客は、計量機１２に設けられた給油操作スイッチ釦３６を押圧操作してオンにする。そして、計量機１２の制御回路６０は、オートレジスタ１８に給油許可信号が送られ、オートレジスタ１８の表示、ブザーにより監視者に通知する。これにより、監視者は、安全を確認し、操作スイッチ釦１８ｃの許可ボタンを押す。
【００２４】
この操作でオートレジスタ１８から計量機１２へ給油許可信号が出力されると、給油ポンプ４５のモータ４８を駆動すると共に電磁弁４６を開弁する。これにより、ポリ容器３２への給油が開始される。
▲５▼  給油操作スイッチ釦３６が押圧操作されている間、ポリ容器３２への給油が継続される。そして、給油操作スイッチ釦３６の押圧操作が解除された場合、あるいはパイプ２８ａの下端開口に設けられた泡センサ２７が給油時の液面に発生する泡を検知すると、電磁弁４６を閉弁させる。
【００２５】
また、強制終了スイッチ釦３８がオンに操作されると、給油途中で給油操作スイッチ釦３６の押圧操作を解除しても電磁弁４６を閉弁させ、給油ポンプ４５のモータ４８を停止させる。
▲６▼  この後、顧客は、給油パイプ機構２８の把手２９を把持し、パイプ２８ａを上方に摺動させて給油口３２ａから引き抜く。そして、ポリ容器３２の給油口３２ａにキャップを装着してポリ容器３２をタンク載置台３０から移動させる。
▲７▼  尚、プリペイドカードに未給油の代金が残っている場合には、プリペイドカードをカードリーダボックス１４のカードリーダ部１４ａから返却させ、プリペイドカードの残量がゼロであるときはプリペイドカードがカードリーダボックス１４に回収される。
【００２６】
図５は表示器３４を拡大して示す正面図である。
図５に示されるように、表示器３４は、流量計４７により計測されたポリ容器３２への給油量を表示する給油量表示部５４と、カードリーダボックス１４のカードリーダ部１４ａにより読み込まれたプリペイドカードによるプリセット値を表示するプリセット値表示部５６と、計量機１２の状態を表示する状態表示部５８とからなる。
【００２７】
図６（Ａ）〜（Ｆ）は表示器３４のプリセット値表示部５６及び状態表示部５８の表示例を示す正面図である。
図６（Ａ）に示されるように、例えばカードリーダボックス１４のカードリーダ部１４ａに灯油１０リットルの給油データが記憶されたプリペイドカードが挿入されてカードデータ（給油データ）が読み込まれてオートレジスタ１８からの給油許可信号を受け取ると、プリセット値表示部５６には「Ｐ１０．００」と表示される。
【００２８】
また、計量機１２が待機中のときには、状態表示部５８には、図６（Ｂ）に示されるように、給油操作スイッチ釦３６が操作可能であることを示す「ＰＵＳＨ」が表示されている。
そして、給油操作スイッチ釦３６が押圧操作されてオートレジスタ１８からの給油許可信号を受け取った後、給油ポンプ４５がモータ４８により駆動されると、状態表示部５８には、図６（Ｃ）に示されるように、長方形状のマークが表示される。また、電磁弁４６が開弁されて給油が開始されると、状態表示部５８の表示は、図６（Ｄ）に示されるように、長方形状のマークの一部が切り欠かれた状態となる。そして、給油中の間この切欠部分は、状態表示部５８1 〜５８12のように時計回りで移動する。これにより、操作者に給油中であることを報知する。
【００２９】
さらに、パイプ２８ａの下端開口に設けられた泡センサ２７がポリ容器３２の給油口３２ａにおいて、液面の泡を検知すると、電磁弁４６が閉弁されると共に状態表示部５８には、図６（Ｅ）に示されるように、「ＦＵＬＬ」が表示される。
また、プリセットされた給油量が給油された場合、あるいは強制終了スイッチ釦３８がオンに操作された場合、状態表示部５８には、図６（Ｆ）に示されるように、「ＥＮＤ」が表示される。
【００３０】
図７は計量機１２の制御系の構成を示すブロック図である。
図７に示されるように、制御回路６０は、カードリーダボックス１４のカードリーダ部１４ａと、泡センサ２７と、給油操作スイッチ釦３６と、強制終了スイッチ釦３８と、給油ポンプ４５を駆動するモータ４８と、電磁弁４６と、流量計４７と、表示器３４と接続されている。
【００３１】
図８は計量機１２の制御回路６０が実行する制御処理を説明するためのフローチャートである。
図８に示されるように、制御回路６０は、ステップＳ１１（以下「ステップ」を省略する）において、給油操作スイッチ釦３６がオンに操作されたかどうかをチェックする。Ｓ１１で給油操作スイッチ釦３６がオンに操作されると、Ｓ１２に進み、オートレジスタ１８から給油許可信号が入力され、且つカードリーダボックス１４で読み取られたカードデータ（プリセット値）が入力されたかどうかをチェックする。
【００３２】
そして、Ｓ１２において、給油許可信号が入力され、且つカードデータが入力されたときは、Ｓ１３に進み、給油ポンプ４５のモータ４８を起動させる。続いて、Ｓ１４で電磁弁４６を開弁させる。これにより、ポリ容器３２への給油が開始される。
次のＳ１５では、流量計４７によって計測された実給油量がプリセットされた設定量に達したかどうかをチェックする。このＳ１５において、流量計４７によって計測された実給油量がプリセットされた設定量に達していないときは、Ｓ１６に移行して給油操作スイッチ釦３６がオフになったかどうかをチェックする。
【００３３】
また、Ｓ１６において、給油操作スイッチ釦３６がオンであるときは、再びＳ１５に戻り、流量計４７によって計測された実給油量がプリセットされた設定量に達したかどうかをチェックする。そして、Ｓ１５において、流量計４７によって計測された実給油量がプリセットされた設定量に達したときは、Ｓ１７に進み、電磁弁４６を閉弁させる。
【００３４】
次のＳ１７ａでは、プリセット給油終了後に給油操作スイッチ釦３６がオフになったかどうかをチェックする。このＳ１７ａにおいて、給油操作スイッチ釦３６がオフであるときは、Ｓ１８に進む。
次のＳ１８では、給油ポンプ４５のモータ４８を停止させると共に、給油を終了させ、且つポリ容器３２へ給油された給油量データを給油終了信号としてオートレジスタ１８へ出力する。これにより、オートレジスタ１８は、給油量等の伝票を発行すると共に、給油データを記憶する。
【００３５】
また、Ｓ１６で給油操作スイッチ釦３６がオフであるときは、Ｓ１９に進み、電磁弁４６を閉弁させる。次のＳ２０では、強制終了スイッチ釦３８がオンに操作されたかどうかをチェックする。従って、プリセットされた設定量が給油されていない状態で給油操作スイッチ釦３６がオフにされた後、強制終了スイッチ釦３８がオンに操作された場合には、給油終了と判断してＳ１８に移行する。
【００３６】
しかし、上記Ｓ２０において、強制終了スイッチ釦３８がオフであるときは、Ｓ２１に進み、給油操作スイッチ釦３６がオンに操作されているかどうかをチェックする。このＳ２１において、給油操作スイッチ釦３６がオフであるときは、Ｓ２２に進み、給油操作スイッチ釦３６がオフになってから所定時間ｔが経過したかどうかをチェックする。
【００３７】
そして、Ｓ２２で所定時間ｔが経過していないときは、上記Ｓ２０に戻り、再びＳ２０，Ｓ２１の処理を繰り返す。Ｓ２１で、給油操作スイッチ釦３６がオンに操作されると、上記Ｓ１４に戻り、電磁弁４６を開弁させて給油を再開する。
しかしながら、Ｓ２２において、給油操作スイッチ釦３６がオフで、強制終了スイッチ釦３８もオフのままＳ２２で所定時間ｔが経過したときは、Ｓ２３に進み、エラーを報知する。その後、上記Ｓ１８に移行して給油を終了させると共にポリ容器３２へ給油された給油量データをオートレジスタ１８へ出力する。
【００３８】
このように、プリセットされた設定量が給油されていない状態で給油操作スイッチ釦３６がオフにされた場合、強制終了スイッチ釦３８がオンに操作されることにより給油が終了したことを確認することができる。そのため、給油操作スイッチ釦３６がオフになっても再度それをオンすることで給油を継続することができる。
【００３９】
また、給油操作スイッチ釦３６及び強制終了スイッチ釦３８がオフのまま所定時間ｔが経過したときは、Ｓ２３でエラーを報知して給油を終了させるため、プリセット給油の途中で給油操作スイッチ釦３６がオフになっても自動的に給油を終了させることができる。
また、通常行なわれる定量位置までの給油の場合は、給油操作スイッチ釦３６のみの操作で給油が行なえるので、操作が簡単である。また、この場合、終了の操作を行なう必要がなく終了忘れによる誤操作が防げる。
【００４０】
図９はオートレジスタ１８で行なわれる初期カード登録処理を説明するためのフローチャートである。
図９に示されるように、オートレジスタ１８において、プリペイドカードの初期登録を行なう場合、先ず、管理キースイッチ１８ａがセット位置に回動操作されると、Ｓ３２に進み、カード登録枚数を操作スイッチ釦１８ｃのキー入力で設定する。続いて、Ｓ３３では、カードリーダ１８ｂにプリペイドカードを挿入させ、プリペイドカードに記憶されているカードデータ（給油量、給油回数等の給油データ）を読み込む。尚、カードリーダ１８ｂの代わりに操作スイッチ釦１８ｃのキー入力でカード番号登録を行なえる。
【００４１】
Ｓ３４では、プリペイドカードに記憶された各データが正しいのかどうかをチェックする。このＳ３４において、プリペイドカードに記憶されたデータが間違っている場合には、Ｓ３５に進み、表示器１８ｄにカード不良メッセージを表示して今回の処理を終了させる。
また、Ｓ３４において、プリペイドカードに記憶されたデータが正しいときは、Ｓ３６に進み、カード登録枚数内かどうかをチェックする。このＳ３６において、カード登録枚数内でない場合には、登録以外の不正カードが混ざっているものと判断し、Ｓ３７に進み、表示器１８ｄにカード枚数超過の表示して今回の処理を終了させる。
【００４２】
そして、Ｓ３６において、カード登録枚数内であるときは、表示器１８ｄにカード登録ＯＫメッセージを表示して今回の処理を終了させる。
図１０はオートレジスタ１８で行なわれる給油処理を説明するためのフローチャートである。
図１０に示されるように、オートレジスタ１８は、Ｓ４１でカードリーダボックス１４のカードリーダ部１４ａでプリペイドカードに記憶されたカードデータを読み込む。次のＳ４２では、プリペイドカードに記憶されたカードデータの記録方式が正しいかどうかをチェックする。Ｓ４２において、プリペイドカードに記憶されたカードデータが正しいときは、Ｓ４３に進み、登録されているカードかどうかをチェックする。
【００４３】
そして、Ｓ４３において、登録されているカードであるときは、Ｓ４４に進み、カードデータに未給油の残油量が有るかどうかをチェックする。
また、Ｓ４２において、プリペイドカードに記憶されたカードデータが正しくないとき、あるいはＳ４３において、登録されているカードでないときは、あるいはＳ４４において、カードデータに未給油の残油量がないときは、Ｓ４５に進み、プリペイドカードをカードリーダ部１４ａから排出させる。そして、Ｓ４６でカード確認処理を行なう。尚、このカード確認処理の詳細については、後述するので、ここでは省略する。
【００４４】
また、上記Ｓ４４において、カードデータに未給油の残油量があるときは、Ｓ４７に進み、プリペイドカードの有効期限が有効かどうかをチェックする。そして、プリペイドカードの有効期限が有効であるときは、Ｓ４９に進み、給油回数を確認する。しかしながら、上記Ｓ４７において、プリペイドカードの有効期限が過ぎて無効であるとき、あるいはＳ４９において、給油回数が登録された回数（Ｎ）以上であるときはＳ４８に移行してプリペイドカードをカードリーダ部１４ａから排出させる。その後、上記Ｓ４６でカード確認処理を行なう。
【００４５】
また、Ｓ４９において、給油回数がＮ回未満であるときは、Ｓ５０に進み、オートレジスタ１８に設けられた給油ＯＫランプ（図示せず）を点灯させる。オートレジスタ１８のオペレータは、給油ＯＫランプの点灯を確認して給油許可スイッチ（図示せず）をオンに操作する。この操作で計量機１２からオートレジスタ１８に給油許可信号が送られる。
【００４６】
続いて、Ｓ５１では、給油許可スイッチ（図示せず）がオンに操作されたことを確認する。そして、給油許可スイッチ（図示せず）がオンに操作されると、給油許可信号がオートレジスタ１８から計量機１２に送られ給油が開始される。また、計量機１２からオートレジスタ１８に送られる給油完了信号を確認すると、Ｓ５２以降の処理に移る。この給油完了信号は、例えばプリセットされた給油量が給油完了した場合、あるいは強制終了スイッチ釦３８がオンに操作された場合に計量機１２からオートレジスタ１８へ出力される。
【００４７】
次のＳ５３では、プリペイドカードのカードデータに未給油の残油量が有るかどうかをチェックする。このＳ５３において、カードデータに残油量が有るときは、Ｓ５４に進み、プリペイドカードをカードリーダ部１４ａから排出させる。その後、上記Ｓ４１に戻り、次の給油処理を行なう。
また、Ｓ５３において、カードデータに残油量が無いときは、Ｓ５５に進み、カードリーダ部１４ａに挿入されたプリペイドカードを回収する。これで、今回の給油処理を終了する。
【００４８】
図１１はカード確認処理を説明するためのフローチャートである。
図１１のＳ６１において、オートレジスタ１８は、管理キースイッチ１８ａが給油位置に回動操作されると、Ｓ６２に進み、プリペイドカードのカードデータを読み込む。
次のＳ６３では、プリペイドカードのカードデータが正しいかどうかをチェックする。このＳ６３において、プリペイドカードのカードデータが正しくないときは、Ｓ６４に進み、表示器１８ｄにカード不良メッセージを表示する。また、プリペイドカードのカードデータが正しいときは、Ｓ６５に進み、カードリーダ部１４ａに挿入されたプリペイドカードが有効カードリストに登録されているカードかどうかをチェックする。
【００４９】
そして、Ｓ６５において、有効カードリストに登録されているカードであるときは、Ｓ６６に進み、残油量、有効期限、過去Ｎ回の給油記録等のカードデータの内容を表示する。このように、プリペイドカードに記憶されたカードデータを確認することができる。
図１２は回収カード再登録処理を説明するためのフローチャートである。
【００５０】
図１２のＳ７１において、オートレジスタ１８は、管理キースイッチ１８ａがセット位置に回動操作されると、Ｓ７２に進み、プリペイドカードのカードデータを読み込む。
次のＳ７３では回収された使用済みのプリペイドカードを再登録する。これにより、使用済みのプリペイドカードは、再使用可能となる。そして、Ｓ７４では、プリペイドカードに再登録されたカードデータを表示器１８ｄに表示させる。
【００５１】
次のＳ７５では、管理キースイッチ１８ａが給油位置に回動操作されたことを確認して今回の処理を終了する。
尚、上記実施例では、灯油を販売する場合を一例として挙げたが、これに限らず、灯油以外の油液をポリ容器に給油して販売する場合にも適用できるのは言うまでもない。
【００５２】
【発明の効果】
上述の如く、本発明によれば、プリセット給油手段が被給油タンクへの給油量が予め設定された設定量になったことに基づき給油を停止させた場合に給油終了信号を出力し、また、被給油タンクへの給油量が予め設定された設定量に達していない状態で強制終了スイッチ釦が操作された場合に、被給油タンクへの給油を停止するとともに給油終了信号を出力する。このため、プリセット給油が終了した場合、及び、強制終了スイッチ釦が操作された場合に自動的に給油終了信号が出力されるので、給油が終了したことを給油装置側で確認することができる。また、給油操作スイッチ釦の押圧操作が解除される度に給油終了信号が出力されることはないので、例えば、伝票が無駄に発行されることを防止でき、また、給油量のデータ確保、カード返却が行なえる。さらに、強制終了スイッチ釦が操作されない場合は、何回でも給油指示手段による給油指示を行なうことができるので、安全を確認しながら給油が行なえる。
【図面の簡単な説明】
【図１】本発明になる給油装置の一実施例を示す構成図である。
【図２】計量機１２の正面図である。
【図３】計量機１２の右側面図である。
【図４】計量機１２の内部構成を示す縦断面図である。
【図５】表示器３４を拡大して示す正面図である。
【図６】表示器３４のプリセット値表示部５６及び状態表示部５８の表示例を示す正面図である。
【図７】計量機１２の制御系の構成を示すブロック図である。
【図８】計量機１２の制御回路６０が実行する制御処理を説明するためのフローチャートである。
【図９】オートレジスタ１８で行なわれる初期カード登録処理を説明するためのフローチャートである。
【図１０】オートレジスタ１８で行なわれる給油処理を説明するためのフローチャートである。
【図１１】カード確認処理を説明するためのフローチャートである。
【図１２】回収カード再登録処理を説明するためのフローチャートである。
【符号の説明】
１１  給油装置
１２  計量機
１４  カードリーダボックス
１８  オートレジスタ
２０  券売機
２４，２６  給油系統
２７  泡センサ
２８  給油パイプ機
３２  ポリ容器
３３  注油管路
３４  表示器
３６  給油操作スイッチ釦
３８  強制終了スイッチ釦
４０  筐体
４２  給油管路
４４  ベーンポンプ
４６  電磁弁
４７  流量計
５４  給油量表示部
５６  プリセット値表示部
５８  状態表示部
６０  制御回路
【図１】
0004199863.tif 000002
【図２】
0004199863.tif 000003
【図３】
0004199863.tif 000004
【図４】
0004199863.tif 000005
【図５】
0004199863.tif 000006
【図６】
0004199863.tif 000007
【図７】
0004199863.tif 000008
【図８】
0004199863.tif 000009
【図９】
0004199863.tif 000010
【図１０】
0004199863.tif 000011
【図１１】
0004199863.tif 000012
【図１２】
0004199863.tif 000013